(57)【要約】【課題】縦撮りおよび横撮りのいずれの場合でも持ち易く、ホールド感を向上させたプリンタ付きデジタルカメラを提供する。【解決手段】プリンタ付きデジタルカメラ１０のカメラボディ１１は、前面から視た形状が正方形であり、カメラボディ１１の中心に撮像光学系１９が位置する。撮像光学系１９の光軸Ｌに垂直方向Ｖに交わる軸を垂直軸ＡＶ、光軸Ｌに水平方向Ｈに交わる軸を水平軸ＡＨとする。カメラボディ１１には、垂直軸ＡＶに対して線対称で、かつ水平軸ＡＨに対して線対称となる位置に、グリップ部２１が形成されている。グリップ部２１は、周囲の面から凹となる円環状の凹形状である。カメラボディ１１の前面から視た場合、円環状のグリップ部２１の中心に撮像光学系１９が位置する。【選択図】図２
2018045178.tif 000002
【特許請求の範囲】
【請求項１】
撮像光学系を有し、被写体像を撮像して画像データを出力する撮像ユニットと、
前記撮像ユニットからの画像データに基づき、記録媒体に画像を記録するプリンタ部と、
前面中央に前記撮像光学系が配され、前記撮像光学系の光軸に第１方向に交わる第１軸に対して線対称で、かつ前記光軸に前記第１方向と直交する第２方向に交わる第２軸に対して線対称となる位置にグリップ部が形成されたカメラボディとを備えたプリンタ付きデジタルカメラ。
【請求項２】
前記カメラボディは、前面から視た形状が正方形であり、前記第１方向における縦寸法と、前記第２方向における横寸法が等しい正方形である請求項１記載のプリンタ付きデジタルカメラ。
【請求項３】
前記グリップ部は、リング状の凹形状または凸形状であり、リング状の中心に前記撮像光学系が位置する請求項１または２記載のプリンタ付きデジタルカメラ。
【請求項４】
前記グリップ部は、前記撮像光学系の周囲に形成された複数個の凹形状または凸形状である請求項１または２記載のプリンタ付きデジタルカメラ。
【請求項５】
前記カメラボディは、前記撮像ユニットにより被写体像を撮像させるレリーズスイッチを備え、該レリーズスイッチの少なくとも一部が前記凹形状または前記凸形状に位置する請求項３または４記載のプリンタ付きデジタルカメラ。
【請求項６】
前記カメラボディは、前記撮像ユニットにより被写体像を撮像させるレリーズスイッチを備え、該レリーズスイッチの全てが前記凹形状または前記凸形状に位置する請求項３または４記載のプリンタ付きデジタルカメラ。
【請求項７】
前記レリーズスイッチは、前記カメラボディに２個設けられており、該２個のレリーズスイッチは、前記第１軸に対して線対称となる位置に配されている請求項５または６記載のプリンタ付きデジタルカメラ。
【請求項８】
前記レリーズスイッチは、前記カメラボディに２個設けられており、該２個のレリーズスイッチは、前記撮像光学系を中心にして１８０度の回転対称となる位置に配されている請求項５または６記載のプリンタ付きデジタルカメラ。
【請求項９】
被写体に対して照明光を照射するフラッシュを備え、
前記フラッシュは、前記第１方向または前記第２方向において前記撮像光学系と一致する位置に配されている請求項１〜８のいずれか１項記載のプリンタ付きデジタルカメラ。
【請求項１０】
前記記録媒体は、モノシートタイプのインスタントフイルムであり、
前記プリンタ部は、前記画像データに基づき前記インスタントフイルムを露光して画像を記録する露光ヘッドを備え、
前記露光ヘッドは、前記フラッシュと前記撮像ユニットの間に位置する請求項９記載のプリンタ付きデジタルカメラ。
【請求項１１】
前記インスタントフイルムは、フイルムパックに収納された状態で前記カメラボディに装填され、
前記カメラボディは、背面側に前記フイルムパックを装填する装填蓋を備えた請求項１０記載のプリンタ付きデジタルカメラ。
【請求項１２】
前記インスタントフイルムを搬送する搬送ローラを備えており、
前記露光ヘッドが前記インスタントフイルムに露光する露光位置は、前記フイルムパックと前記搬送ローラとの間に位置する請求項１１記載のプリンタ付きデジタルカメラ。
【請求項１３】
前記カメラボディは、前記第１方向または前記第２方向における一端に前記インスタントフイルムの排出口を有する請求項１０〜１２のいずれか１項記載のプリンタ付きデジタルカメラ。
【請求項１４】
前記カメラボディは、背面に画像を表示する表示部を備え、
前記排出口から前記インスタントフイルムが排出される搬送路は、前記撮像ユニットと前記表示部の間に位置する請求項１３記載のプリンタ付きデジタルカメラ。
【請求項１５】
前記グリップ部と前記撮像光学系の間に位置する操作部を備えた請求項１〜１４のいずれか１項記載のプリンタ付きデジタルカメラ。
【請求項１６】
前記カメラボディは、背面から突出する凸形状の指掛け部が形成されている請求項１〜１５のいずれか１項記載のプリンタ付きデジタルカメラ。
【発明の詳細な説明】
【技術分野】
【０００１】
本発明は、プリンタ付きデジタルカメラに関する。
【背景技術】
【０００２】
シート状の記録媒体、例えばモノシートタイプのインスタントフイルムに画像を記録するプリンタ付きデジタルカメラが知られている。特許文献１記載のプリンタ付きデジタルカメラでは、撮像光学系および固体撮像素子などを有する撮像ユニットと、露光ヘッドおよび展開ローラなどを有するプリンタ部が組み込まれている。撮影操作を行うと、固体撮像素子に結像された被写体像が光電変換され、更にデジタル変換されて得られたデジタルの画像データがメモリに書き込まれる。そして、メモリから読み出した画像データに基づいて露光ヘッド及び展開ローラを駆動し、インスタントフイルムを排出しながら露光することにより画像記録を行う。インスタントフイルムは、フイルム排出口から排出されると、所定時間経過後に片面に画像が現出する。
【０００３】
また、上記特許文献１記載のプリンタ付きデジタルカメラでは、横長矩形状のカメラボディを備え、カメラボディの左側面にグリップ部が設けられている。また、プリンタ機能を持たない電子カメラでは、例えば、特許文献２記載の電子カメラのように、カメラボディの両側にグリップ部を設けたものがある。
【先行技術文献】
【特許文献】
【０００４】
【特許文献１】特開２００２−２９６６５９号公報
【特許文献２】特開２００２−４０５３４号公報
【発明の概要】
【発明が解決しようとする課題】
【０００５】
上記特許文献１記載のプリンタ付きデジタルカメラでは、グリップ部がカメラボディの左側面にのみ設けられているため、撮影を行う場合のカメラボディの向きによって、カメラボディを持ちにくく、ホールド感が悪い場合がある。特に、カメラボディの向きを９０度変えて撮影を行う場合、グリップ部がカメラボディの上部または下部に位置することになるため、非常に持ちにくく、不安定である。また、特許文献２記載の電子カメラのように、両側にグリップ部を設けたカメラボディでも、向きを９０度変えて撮影を行う場合は、グリップ部がカメラボディの上部及び下部に位置するため、カメラボディを持ちにくい。
【０００６】
そこで、出願人は、カメラボディを縦向きにして行う縦撮り、横向きにして行う横撮りのいずれの場合でも、カメラボディを持ち易く、ホールド感が向上するプリンタ付きデジタルカメラを作成することを検討している。
【０００７】
本発明は、縦撮りおよび横撮りのいずれの場合でも持ち易く、ホールド感を向上させたプリンタ付きデジタルカメラを提供することを目的とする。
【課題を解決するための手段】
【０００８】
本発明のプリンタ付きデジタルカメラは、撮像ユニットと、プリンタ部と、カメラボディとを備える。撮像ユニットは、撮像光学系を有し、被写体像を撮像して画像データを出力する。プリンタ部は、撮像ユニットからの画像データに基づき、記録媒体に画像を記録する。カメラボディは、前面中央に撮像光学系が配され、撮像光学系の光軸に第１方向に交わる第１軸に対して線対称で、かつ光軸に第１方向と直交する第２方向に交わる第２軸に対して線対称となる位置にグリップ部が形成されている。
【０００９】
カメラボディは、前面から視た形状が正方形であり、第１方向における縦寸法と、第２方向における横寸法が等しい正方形であることが好ましい。
【００１０】
グリップ部は、リング状の凹形状または凸形状であり、リング状の中心に撮像光学系が位置することが好ましい。
【００１１】
グリップ部は、撮像光学系の周囲に形成された複数個の凹形状または凸形状であることが好ましい。
【００１２】
カメラボディは、撮像ユニットにより被写体像を撮像させるレリーズスイッチを備え、レリーズスイッチの少なくとも一部が凹形状または凸形状に位置することが好ましい。
【００１３】
カメラボディは、撮像ユニットにより被写体像を撮像させるレリーズスイッチを備え、レリーズスイッチの全てが凹形状または凸形状に位置することが好ましい。
【００１４】
レリーズスイッチは、カメラボディに２個設けられており、２個のレリーズスイッチは、第１軸に対して線対称となる位置に配されていることが好ましい。
【００１５】
レリーズスイッチは、カメラボディに２個設けられており、２個のレリーズスイッチは、撮像光学系を中心にして１８０度の回転対称となる位置に配されていることが好ましい。
【００１６】
被写体に対して照明光を照射するフラッシュを備え、フラッシュは、第１方向または第２方向において撮像光学系と一致する位置に配されていることが好ましい。
【００１７】
記録媒体は、モノシートタイプのインスタントフイルムであり、プリンタ部は、画像データに基づきインスタントフイルムを露光して画像を記録する露光ヘッドを備え、露光ヘッドは、フラッシュと撮像ユニットの間に位置することが好ましい。また、インスタントフイルムは、フイルムパックに収納された状態でカメラボディに装填され、カメラボディは、背面側にフイルムパックを装填する装填蓋を備えていることが好ましい。また、インスタントフイルムを搬送する搬送ローラを備えており、露光ヘッドがフイルムに露光する露光位置は、フイルムパックと搬送ローラとの間に位置することが好ましい。
【００１８】
カメラボディは、第１方向または第２方向における一端にフイルムの排出口を有することが好ましい。カメラボディは、背面に画像を表示する表示部を備え、排出口からフイルムが排出される搬送路は、撮像ユニットと表示部の間に位置することが好ましい。
【００１９】
グリップ部と撮像光学系の間に位置する操作部を備えていることが好ましい。また、カメラボディは、背面から突出する凸形状の指掛け部が形成されていることが好ましい。
【発明の効果】
【００２０】
本発明によれば、縦撮りおよび横撮りのいずれの場合でも持ち易く、ホールド感を向上させることができる。
【図面の簡単な説明】
【００２１】
【図１】プリンタ付きデジタルカメラの正面側斜視図である。
【図２】プリンタ付きデジタルカメラの正面図である。
【図３】図２のIII−III線に沿って切断した縦断面図である。
【図４】フィルムユニットの断面図である。
【図５】プリンタ付きデジタルカメラの背面側斜視図である。
【図６】プリンタ付きデジタルカメラの背面図である。
【図７Ａ】プリンタ付きデジタルカメラを用いて縦撮りした場合の説明図である。
【図７Ｂ】プリンタ付きデジタルカメラを用いて横撮りした場合の説明図である。
【図８】プリンタ付きデジタルカメラの上面図である。
【図９】第２実施形態のプリンタ付きデジタルカメラの正面図である。
【図１０】第３実施形態のプリンタ付きデジタルカメラの正面図である。
【図１１】第４実施形態のプリンタ付きデジタルカメラの正面図である。
【図１２】第５実施形態のプリンタ付きデジタルカメラの正面図である。
【図１３】第６実施形態のプリンタ付きデジタルカメラの正面図である。
【発明を実施するための形態】
【００２２】
［第１実施形態］
図１において、プリンタ付きデジタルカメラ１０は、カメラボディ１１と、撮像ユニット１２と、プリンタ部１３（図３参照）とを備える。カメラボディ１１の前面には、撮像窓１５と、２個のレリーズスイッチ１６Ａ，１６Ｂと、フラッシュ１７と、操作リング１８とが設けられている。
【００２３】
図２に示すように、カメラボディ１１は、前面から視た形状が正方形である。具体的には、カメラボディ１１の垂直方向Ｖ（第１方向）における縦寸法Ｌ１と、垂直方向Ｖと直交する水平方向（第２方向）における横寸法Ｌ２とが一致する正方形であり、縦寸法Ｌ１と横寸法Ｌ２とがほぼ一致する場合を含む。なお、プリンタ付きデジタルカメラ１０で使用する記録媒体としてのフイルムユニット２３もほぼ正方形である。
【００２４】
撮像窓１５は、カメラボディ１１の前面中央に配される。撮像窓１５は、撮像ユニット１２を構成する撮像光学系１９（図３参照）を露呈させる。撮像光学系１９の光軸Ｌは、垂直方向Ｖおよび水平方向Ｈと直交する。カメラボディ１１の垂直方向Ｖおよび水平方向Ｈにおける中心に撮像光学系１９が位置する。
【００２５】
撮像ユニット１２には、撮像光学系１９と、固体撮像素子２０（図３参照）とが設けられている。固体撮像素子２０は、例えば、ＣＭＯＳ（Complementary Metal Oxide Semiconductor）型イメージセンサであり、２次元マトリクス状に配列された複数の画素（図示せず）により構成された受光面を有している。各画素は、光電変換素子を含んでおり、撮像光学系１９により受光面に結像された被写体像を光電変換して撮像信号を生成する。
【００２６】
また、固体撮像素子２０は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２０から内蔵メモリ（図示せず）に出力する。固体撮像素子２０の出力信号は、画素ごとに１つの色信号を有する画像データ（いわゆるＲＡＷデータ）である。
【００２７】
光軸Ｌに垂直方向Ｖに交わる軸を垂直軸ＡＶ（第１軸）、光軸Ｌに水平方向Ｈに交わる軸を水平軸ＡＨ（第２軸）とする。カメラボディ１１には、垂直軸ＡＶに対して線対称で、かつ水平軸ＡＨに対して線対称となる位置に、グリップ部２１が形成されている。具体的には、グリップ部２１は、周囲の面から凹となる円環状（リング状）の凹形状である。カメラボディ１１の前面から視た場合、円環状のグリップ部２１の中心に撮像光学系１９が位置する。また、グリップ部２１は、光軸Ｌに沿って切断した断面形状が円弧状となるように形成されている（図３参照）。なお、線対称となる位置とは、ほぼ線対称となる位置にある場合を含む。
【００２８】
レリーズスイッチ１６Ａ，１６Ｂは、垂直軸ＡＶに対して線対称となる位置に配されている。具体的には、レリーズスイッチ１６Ａ，１６Ｂは、垂直軸ＡＶから等距離となる位置に配されている。レリーズスイッチ１６Ａ，１６Ｂのうち、少なくとも一方が押圧操作されることにより、後述する固体撮像素子２０が駆動され、被写体像が撮像される。
【００２９】
レリーズスイッチ１６Ａ，１６Ｂは、一部がグリップ部２１に配されている。グリップ部２１に配されているレリーズスイッチ１６Ａ，１６Ｂは、凹形状に沿って凹となる曲面形状に形成されている。
【００３０】
フラッシュ１７は、水平方向Ｈにおいて撮像光学系１９と一致する位置、すなわち垂直軸ＡＶ上に配されている。なお、ここでいう一致するとは、ほぼ一致する位置に配されている場合を含む。フラッシュ１７は、例えば、撮像ユニット１２が被写体を撮像する際、露出値が所定値以下の場合に、被写体に対して自動的に照明光を照射する。
【００３１】
操作リング１８は、グリップ部２１と撮像光学系１９との間に位置するリング状の操作部材であり、光軸Ｌの周りに回動自在に取り付けられている。操作リング１８は、プリンタ付きデジタルカメラ１０の電源をオンまたはオフする際に操作される操作部材である。
【００３２】
カメラボディ１１の垂直方向Ｖにおける一端、すなわち上面には、フイルム排出口２２が設けられている。フイルム排出口２２からは、詳しくは後述するが、画像のプリントが完了したフイルムユニット２３が排出される。
【００３３】
図３に示すように、カメラボディ１１の背面側には、装填蓋２４が設けられている。装填蓋２４は、カメラボディ１１の下端に設けられたヒンジ部２４ａを介して取り付けられている。装填蓋２４は、カメラボディ１１内に設けられたフイルムパック装填室２５を開放する開き位置（２点鎖線で示す位置）と、このフイルムパック装填室２５を覆う閉じ位置（実線で示す位置）との間で回動自在に支持されている。このフイルムパック装填室２５内にフイルムパック２６が装填される。
【００３４】
フイルムパック２６は、箱形状のケース２６ａと、このケース２６ａの開口を覆う蓋２６ｂとから構成される。ケース２６ａには、複数枚のフイルムユニット２３が露光面２３ａを図中左向きにして重ねて収納される。また、このケース２６ａのフイルム排出口２２に対向する端面には、最下層のフイルムユニット２３をフイルムパック２６から外に送出するためのフイルム送出口２７が形成されている。このフイルム送出口２７は、外側から柔軟性のある遮光シール（図示せず）によって塞がれている。
【００３５】
蓋２６ｂには、一対の開口２８ａ，２８ｂが所定間隔を開けて形成されている。また、蓋２６ｂの内面には、支持片２９や、フイルムユニット押圧板３０などが設けられている。開口２８ａ，２８ｂは、装填蓋２４を閉じたときにその内面に設けられた押圧部材３２ａ，３２ｂが入り込む入口となる。支持片２９は、フイルムユニット２３の中央部分を背後から支持する。
【００３６】
フイルムユニット押圧板３０は、装填蓋２４を閉じたときに押圧部材３２ａ，３２ｂにより押圧され、ケース２６ａの底面に向かって凸となるように湾曲する。これにより、最下層のフイルムユニット２３がケース２６ａの底面に押し付けられる。
【００３７】
記録媒体としてのフイルムユニット２３は所謂モノシートタイプのフイルムである。このフイルムユニット２３は、図４に示すように、マスクシート３３と、感光シート３４と、カバーシート３５と、現像液ポッド３６と、トラップ部３７とから構成される。マスクシート３３は薄いプラスチックでシート状に形成され、画面開口３３ａを備えている。感光シート３４には、感光層、拡散反射層、受像層等が設けられている。カバーシート３５は、後述する露光ヘッド４１と対面する露光面２３ａを有する。
【００３８】
現像液ポッド３６は略袋状に形成されており、その内部には現像液３８が内包されている。この現像液ポッド３６は、感光シート３４のフイルム送出口２７側の端部上に貼着され、マスクシート３３の端部で包まれている。トラップ部３７は、感光シート３４のフイルム送出口２７側とは反対側の端部上に貼着され、同様にマスクシート３３の端部で包まれている。
【００３９】
プリント時は、詳しくは後述するがフイルムユニット２３の感光層に対してプリント光が照射され、感光層が露光される。そして、現像時には現像液ポッド３６が裂開されて、感光シート３４とカバーシート３５の隙間３９に現像液３８が流し込まれて展開される。これにより、感光層には光化学的に潜像が形成され、この潜像が拡散反射層によって反転されて受像層に転写される。こうして、画面開口３３ａより露呈される感光シート３４のポジ画像観察面４０上にポジ画像が現れる。
【００４０】
プリント処理が開始されると、ケース２６ａの底面のクロー開口（図示せず）に挿入されたクロー爪（図示せず）によって、最下層のフイルムユニット２３がフイルム送出口２７よりフイルムパック２６外に送出される。フイルムパック２６外に送出されたフイルムユニット２３（２点鎖線で示す位置）は、フイルム送出口２７とフイルム排出口２２との間に設けられたプリンタ部１３で露光処理と現像処理が行われる。
【００４１】
プリンタ部１３は、フイルム送出口２７からフイルム排出口２２に向けて順に配置された露光ヘッド４１と、現像液展開部４２とから構成される。露光ヘッド４１は、例えば、光源、液晶シャッタ、レンズ等から構成され、フイルムユニット搬送路と対面する位置に配されている。具体的には、露光ヘッド４１は、垂直方向Ｖにおいて、フラッシュ１７と、撮像ユニット１２との間に位置する。これにより、カメラボディ１１の薄型化を図ることができる。また、現像液展開部４２によってフイルムユニット２３が搬送されるフイルムユニット搬送路は、撮像ユニット１２と後述する背面表示部５１の間に位置する。これにより、カメラボディ１１の小形化が可能となる。
【００４２】
露光ヘッド４１は、主走査方向（フイルムユニット幅方向）に平行なライン状のプリント光をフイルムユニット２３の露光面２３ａに照射する。これにより、画像データに応じた階調を有するライン画像が、フイルムユニット２３の感光層に露光される。
【００４３】
図３に示すように、現像液展開部４２は、搬送ローラ４３、４４および展開ローラ４５、４６を備えている。搬送ローラ４３、４４および展開ローラ４５、４６は、モータ（図示せず）により回転駆動される。搬送ローラ４４は、押圧機構としてのバネ４７により、搬送ローラ４３側に、展開ローラ４６は、押圧機構としてのバネ４８により、展開ローラ４５側にそれぞれ押圧されている。
【００４４】
搬送ローラ４３、４４は、フイルムパック２６から送り出されたフイルムユニット２３の両側部を挟んで、展開ローラ４５、４６に向けて搬送する。なお、露光ヘッド４１がプリント光をフイルムユニット２３に露光する露光位置Ｐは、フイルムパック２６のフイルム送出口２７と、搬送ローラ４３、４４との間に位置する。これにより、カメラボディ１１の薄型化を図ることができる。
【００４５】
展開ローラ４５、４６は、搬送ローラ４３、４４から受け渡されたフイルムユニット２３を全幅に亘って挟んで、フイルム排出口２２に向けて搬送しながら、現像液ポッド３６を裂開して、現像液３８を隙間３９に展開させる。展開ローラ４５、４６により現像処理が終了したフイルムユニット２３は、フイルム排出口２２まで搬送され、カメラボディ１１外に排出される。
【００４６】
図５に示すように、装填蓋２４の外面、すなわち、カメラボディ１１の背面には、背面表示部５１及び操作部５２が設けられている。背面表示部５１は、例えばＬＣＤ（Liquid Crystal Display）パネルで構成されている。背面表示部５１には、固体撮像素子２０から出力された１フレーム分の画像データが順次入力され、スルー画として表示される。
【００４７】
撮影者によりレリーズスイッチ１６Ａ，１６Ｂの少なくとも一方が押圧操作されると、固体撮像素子２０から出力された画像データは、図示しない画像処理部によりマトリクス演算、デモザイク処理、γ補正、輝度変換、色差変換、リサイズ処理などの公知の画像処理が施された後、圧縮処理が施される。そして、この画像処理および圧縮済みの画像データは、カメラボディ１１内に設けられたフラッシュメモリなどの内蔵メモリ（図示せず）に記録される。
【００４８】
操作部５２のメニュースイッチ５２Ａが押圧操作されると、内蔵メモリに記録された画像データに基づいて画像が背面表示部５１に再生表示される。そして、プリントしたい画像が背面表示部５１に表示された場合、撮影者が操作部５２のプリントスイッチ５２Ｂを押圧操作することで、プリンタ部１３によるプリント処理が開始される。
【００４９】
また、装填蓋２４の外面には、カメラボディ１１の背面から突出する一対の指掛け部５３Ａ，５３Ｂが設けられている。指掛け部５３Ａ，５３Ｂは、カメラボディ１１の両側面から連続して、カメラボディ１１の後方へ突出する三角形の凸形状に形成されている。
【００５０】
操作部５２は、上述したメニュースイッチ５２Ａ、プリントスイッチ５２Ｂの他に、プリンタ付きデジタルカメラ１０の各種操作を行う複数のスイッチが設けられている。表示部５１および操作部５２は、水平方向Ｈにおいて指掛け部５３Ａ，５３Ｂの間に位置する。さらに具体的には、操作部５２の中心から指掛け部５３Ａ，５３Ｂの頂点までの距離Ｌ３、Ｌ４が等しい位置に操作部５２が配されている。
【００５１】
次に、図７Ａ、図７Ｂ及び図８を参照しながら、プリンタ付きデジタルカメラ１０の作用について説明する。操作リング１８を回動操作してプリンタ付きデジタルカメラ１０の電源をオンさせると、各部に電源供給が行われる。また、この時点で撮像モードに設定され、撮像ユニット１２の固体撮像素子２０を駆動させる。撮像モードでは、固体撮像素子２０が被写体像を連続的に撮像し、その画像は背面表示部５１に表示される。撮影者は、背面表示部５１を見ながら被写体をフレーミングする。
【００５２】
撮影者は、フレーミングに応じて、カメラボディ１１を縦向きにする縦撮り（図７Ａ参照）や、カメラボディを横向きにする横撮り（図７Ｂ参照）によって撮影を行う。プリンタ付きデジタルカメラ１０のカメラボディ１１には、グリップ部２１が形成されているため、図７Ａおよび図７Ｂに示すように、縦撮り及び横撮りのいずれの場合でも、撮影者の右手及び左手でカメラボディ１１を確実に把持することが可能である。このため、カメラボディ１１が持ち易く、ホールド感が向上する。
【００５３】
また、カメラボディ１１が正方形であることにより、撮影者は、縦撮り、横撮りのいずれの場合においても同じ持ち方、同じ力の入れ具合でカメラボディ１１を把持することが可能であるので、持ち易さ、ホールド感がさらに向上する。
【００５４】
また、グリップ部２１がリング状に形成されているため、縦撮りと、横撮りの中間位置のようなカメラボディ１１を斜めに構えた場合でも、カメラボディ１１を確実に把持することができる。
【００５５】
フレーミングを行ってレリーズスイッチ１６Ａ，１６Ｂの少なくとも一方を押圧操作すると、その際、固体撮像素子２０から出力された画像データが内蔵メモリに記録される。上述したように、内蔵メモリに記録された画像データに基づいて画像が背面表示部５１に再生表示され、プリントしたい画像が背面表示部５１に表示された場合、撮影者が操作部５２のプリントスイッチ５２Ｂを押圧操作することで、プリンタ部１３によるプリント処理が開始される。
【００５６】
プリンタ部１３によるプリント処理が開始されると、フイルム送出口２７よりフイルムパック２６外に排出されたフイルムユニット２３は、搬送ローラ４３、４４により挟持搬送される。そして、この搬送途中に露光ヘッド４１による露光が行われる。露光ヘッド４１は、内蔵メモリに記録された画像データに基づいてフイルムユニット２３の感光層に１画面分の画像（潜像）を露光する。引き続きフイルムユニット２３は、展開ローラ４５、４６に向けて搬送され、展開ローラ４５、４６により挟持搬送される。これにより、上述したように隙間３９（図４参照）に現像液３８が展開される。
【００５７】
現像処理が終了したフイルムユニット２３は、フイルム排出口２２まで搬送され、カメラボディ１１外に排出される。そして、所定時間経過後、排出されたフイルムユニット２３のポジ画像観察面４０上にポジ画像が現れる。
【００５８】
また、上述したように、レリーズスイッチ１６Ａ、１６Ｂの一部がグリップ部２１に配されているため、撮影者は、指先の感覚だけでレリーズスイッチ１６Ａ，１６Ｂの位置を認識することが可能であり、操作性が向上する。さらにまた、レリーズスイッチ１６Ａ，１６Ｂは、垂直軸ＡＶに対して線対称となる位置に配されているため、縦撮りと、横撮りのいずれの場合でも撮影者が押圧操作をしやすい。
【００５９】
また。カメラボディ１１には、背面から突出する一対の指掛け部５３Ａ，５３Ｂが設けられているため、図８に示すように、撮影者は、指掛け部５３Ａ，５３Ｂに親指を掛けてカメラボディ１１を把持しやすくなっている。さらにまた、指掛け部５３Ａ，５３Ｂの間に操作部５２が位置しているため、カメラボディ１１を把持しながらプリンタ付きデジタルカメラ１０の各種操作を容易に行うことができる。
【００６０】
［第２実施形態］
上記第１実施形態では、レリーズスイッチ１６Ａ，１６Ｂの一部がグリップ部２１に配されているが、第２実施形態では、図９に示すように、レリーズスイッチ１６Ａ，１６Ｂの全てがグリップ部２１に配されている。レリーズスイッチ１６Ａ，１６Ｂは、凹形状に沿って凹となる曲面形状に形成されている。これにより、上記第１実施形態と同様に、撮影者は、指先の感覚だけでレリーズスイッチ１６Ａ，１６Ｂの位置を認識することが可能であり、操作性が向上する。
【００６１】
［第３実施形態］
上記第各実施形態では、グリップ部２１は、円環状の凹形状であるが、第３実施形態では、図１０に示すように、グリップ部２１は、矩形枠状の凹形状である。カメラボディ１１の前面から視た場合、円環状のグリップ部２１の中心に撮像光学系１９が位置する。すなわち、上記第１実施形態と同様に、垂直軸ＡＶに対して線対称で、かつ水平軸ＡＨに対して線対称となる位置にグリップ部２１が形成されている。また、上記第２実施形態と同様に、レリーズスイッチ１６Ａ，１６Ｂの全てがグリップ部２１に配されているが、第１実施形態と同様にレリーズスイッチ１６Ａ，１６Ｂの一部がグリップ部２１に配されていてもよい。
【００６２】
［第４実施形態］
上記第各実施形態では、グリップ部２１は、１個のリング状の凹形状であるが、第３実施形態では、図１１に示すように、グリップ部２１は、複数個の凹形状または凸形状である。具体的には、グリップ部２１は、４個の凹形状２１Ａ〜２１Ｄから構成されており、凹形状２１Ａ，２１Ｂは、水平軸ＡＨに対して線対称となる位置に、凹形状２１Ｃ，２１Ｄは垂直軸ＡＶに対して線対称となる位置にそれぞれ形成されている。また、上記第１実施形態と同様にレリーズスイッチ１６Ａ，１６Ｂの一部がグリップ部２１に配されているが、上記第２実施形態と同様に、レリーズスイッチ１６Ａ，１６Ｂの全てがグリップ部２１に配されていてもよい。
【００６３】
［第５実施形態］
上記第各実施形態では、レリーズスイッチ１６Ａ，１６Ｂは、垂直軸ＡＶに対して線対称となる位置に配されているが、第５実施形態では、図１２に示すように、撮像光学系１９を中心にして１８０度の回転対称となる位置に、具体的には、光軸Ｌを中心にして１８０度の回転対称となる位置に配されている。なお、上記第２実施形態と同様に、レリーズスイッチ１６Ａ，１６Ｂの全てがグリップ部２１に配されているが、第１実施形態と同様にレリーズスイッチ１６Ａ，１６Ｂの一部がグリップ部２１に配されていてもよい。
【００６４】
［第６実施形態］
上記第各実施形態では、カメラボディ１１に２個のレリーズスイッチ１６Ａ，１６Ｂが設けられているが、第６実施形態では、図１３に示すように、カメラボディ１１に４個のレリーズスイッチ１６Ａ〜１６Ｄが設けられている。レリーズスイッチ１６Ａ〜１６Ｄは、垂直軸ＡＶに対して線対称で、かつ水平軸ＡＨに対して線対称となる位置に配されている。なお、上記第２実施形態と同様に、レリーズスイッチ１６Ａ〜１６Ｄの全てがグリップ部２１に配されているが、第１実施形態と同様にレリーズスイッチ１６Ａ〜１６Ｄの一部がグリップ部２１に配されていてもよい。
【００６５】
上記各実施形態では、上記第各実施形態では、グリップ部２１は、周囲の面から凹となる凹形状であるが、これに限らず、周囲の面から凸となる凸形状に形成してもよい。なお、この場合、レリーズスイッチは、グリップ部２１の凸形状に沿って凸となる曲面形状に形成されていることが好ましい。また、上記各実施形態では、第１方向を垂直方向Ｖ、第２方向を水平方向Ｈとしているが、第１方向を水平方向Ｈ、第２方向を垂直方向Ｖとしてもよい。
【００６６】
以上説明した各実施形態では、記録媒体としてモノシートタイプのインスタントフイルムを用い、記録媒体パックとしてインスタントフイルムを収納したフイルムパックを用いたが、本発明はこれに限定されず、記録媒体として、感熱発色層を層設した感熱記録紙や普通紙，専用紙（表面コートした紙等），ＯＨＰシートを用いることができる。記録媒体として感熱記録紙を用いる場合には、サーマルヘッドによる熱記録を行う。また、記録媒体として普通紙等を用いる場合には、インクジェット，熱溶融，熱転写等による記録を行う。
【符号の説明】
【００６７】
１０  プリンタ付きデジタルカメラ
１１  カメラボディ
１２  撮像ユニット
１３  プリンタ部
１５  撮像窓
１６Ａ〜１６Ｄ  レリーズスイッチ
１７  フラッシュ
１８  操作リング
１９  撮像光学系
２０  固体撮像素子
２１  グリップ部
２１Ａ〜２１Ｄ  凹形状
２２  フイルム排出口
２３  フイルムユニット
２３ａ  露光面
２４  装填蓋
２５  フイルムパック装填室
２６  フイルムパック
２６ａ  ケース
２６ｂ  蓋
２７  フイルム送出口
２８ａ，２８ｂ  開口
２９  支持片
３０  フイルムユニット押圧板
３２ａ，３２ｂ  押圧部材
３３  マスクシート
３３ａ  画面開口
３４  感光シート
３５  カバーシート
３６  現像液ポッド
３７  トラップ部
３８  現像液
３９  隙間
４０  ポジ画像観察面
４１  露光ヘッド
４２  現像液展開部
４３，４４  搬送ローラ
４５，４６  展開ローラ
４７，４８  バネ
５１  背面表示部
５２  操作部
５２Ａ  メニュースイッチ
５２Ｂ  プリントスイッチ
５３Ａ  指掛け部
５３Ａ  において指掛け部
５３Ａ，５３Ｂ  指掛け部
ＡＶ  垂直軸
ＡＨ  水平軸
Ｈ  水平方向
Ｌ  光軸
Ｐ  露光位置
Ｖ  垂直方向
【図１】
2018045178.tif 000003
【図２】
2018045178.tif 000004
【図３】
2018045178.tif 000005
【図４】
2018045178.tif 000006
【図５】
2018045178.tif 000007
【図６】
2018045178.tif 000008
【図７Ａ】
2018045178.tif 000009
【図７Ｂ】
2018045178.tif 000010
【図８】
2018045178.tif 000011
【図９】
2018045178.tif 000012
【図１０】
2018045178.tif 000013
【図１１】
2018045178.tif 000014
【図１２】
2018045178.tif 000015
【図１３】
2018045178.tif 000016